(57)【要約】【課題】営巣撤去を行う作業員が、電線類に近づくことなく容易に巣を撤去できる電柱用鳥類営巣補助具を提供する。【解決手段】電柱用鳥類営巣補助具１は、電柱１００に固定される固定部１０と、鳥類が営巣可能なカゴ部３０と、固定部１０に対してカゴ部３０を回動可能に支持するヒンジ２５と、固定部１０に対するカゴ部３０の回動を規制するロック状態及び固定部１０に対してカゴ部３０を回動可能にするロック解除状態に切替自在なロック部４０とを備え、カゴ部３０は、固定部１０が電柱１００に固定されかつロック部４０がロック状態の場合に、電柱１００に対して垂直な水平方向に維持され、ロック部４０をロック状態からロック解除状態に切り替えた場合に下方に回動する。【選択図】図１
2013116058.tif 000002
【特許請求の範囲】
【請求項１】
電柱に固定される固定部と、
鳥類が営巣可能なカゴ部と、
前記固定部に対して前記カゴ部を回動可能に支持する回動支持部と、
前記固定部に対する前記カゴ部の回動を規制するロック状態及び前記固定部に対して前記カゴ部を回動可能にするロック解除状態に切替自在なロック部とを備え、
前記カゴ部は、前記固定部が電柱に固定されかつ前記ロック部がロック状態の場合に、前記電柱に対して垂直な水平方向に維持され、前記ロック部をロック状態からロック解除状態に切り替えた場合に下方に回動することを特徴とする電柱用鳥類営巣補助具。
【請求項２】
前記固定部は、
前記電柱に対して垂直な水平方向に、互いに平行でかつ所定の間隔を開けて延在する一対の延在部を備え、
前記カゴ部は、
四角柱状の長尺部材ならなり、前記回動支持部を介して前記一対の延在部に一端部が支持される一対の腕金と、
当該一対の腕金の下面に取り付けられる底面金網とを備え、
前記ロック部は、
前記一対の延在部に、前記電柱の立設方向及び前記延在部の延在方向に対して垂直方向に設けられ、両端部が前記一対の延在部の外側に突出する第１ボルトと、
前記一対の腕金に、前記第１ボルトに対して平行に設けられ、両端部が前記一対の腕金の外側に突出する第２ボルトと、
前記第１ボルト及び第２ボルトのいずれか一方に回動可能に支持される軸受部、及び回動によって他方のボルトに着脱自在に係合する鉤部を有する開閉金具と、
前記第１ボルトに螺合する第１ナットと、
前記第２ボルトに螺合する第２ナットと、を備え、
前記開閉金具は、前記鉤部が前記第２ボルトに係合された前記ロック状態において、前記固定部及び前記カゴ部に前記第１ナット及び第２ナットによって締結されることを特徴とする請求項１記載の電柱用鳥類営巣補助具。
【請求項３】
前記固定部は、電柱に巻き付けられるバンドと、当該バンドの一端部に回動可能に設けられたボルトと、当該ボルトに螺合されるナットとを備え、
前記バンドは、他端部に、前記ボルトに着脱自在に係合するバンド係合部を備え、
前記ボルトに前記バンド係合部を係合させた状態で前記ナットを回転させ、前記ナットの移動に伴って前記バンドの両端部の距離を可変にすることを特徴とする請求項１又は２記載の電柱用鳥類営巣補助具。
【発明の詳細な説明】
【技術分野】
【０００１】
本発明は、鳥類の営巣を補助する電柱用鳥類営巣補助具に関する。
【背景技術】
【０００２】
従来、電柱設備にカラスのような鳥類が営巣すると、この巣が起因となって停電が発生する危険性がある。例えば、電柱の上に、鳥類が巣作りのために針金類を運んできた場合には、この針金が電線に接触してショートするおそれがある。このため、電柱設備に営巣された場合には、速やかに巣を撤去する必要がある。しかし、電線間の危険な場所等に営巣された場合には、撤去作業が容易には行えない。
【０００３】
そこで、従来、例えば針状の部材が立設した防護具を電柱に取り付けて、鳥類が営巣できないようにすることが提案されている。しかし、鳥類は防護具がない電柱に鳥類が営巣するようになるため、結局、広範囲の電柱に防護具を取り付ける必要がある。このため、防護具に係るコストが高くなる。
【０００４】
また、従来、電柱の安全な位置へ営巣補助具を取り付け、そこに営巣させることによって、停電等の危険性を緩和させる対策が提案されている（特許文献１参照）。
【先行技術文献】
【特許文献】
【０００５】
【特許文献１】特開２０００−３１６４５７号公報
【発明の概要】
【発明が解決しようとする課題】
【０００６】
ところで、鳥類は、なわばりの関係により毎年同じような場所に営巣する。このため、営巣補助具は、毎年同じ場所に何年も設置しておくことが望ましいことから、営巣補助具には、電線等を取り付ける金物と同等の耐久性が求められる。
【０００７】
また、電線類が取り付けてある電柱上部から離れ過ぎた場所に営巣補助具を設置しても、鳥類の習性により寄り付かない可能性が高い。
【０００８】
しかし、電柱上部に近い場所に営巣補助具を設置して鳥類に営巣させた場合、営巣撤去を行う作業員は、営巣補助具から巣を除去する際に、巣を上方に持ち上げて取り出す作業を行う。ここで、電柱上部には電線支持用の腕金や電線が配置されているため、作業員が営巣撤去作業を行う際に電線類に近づくことになり、撤去作業の困難性が高くなる。よって、電柱上部に取り付けが可能であり、営巣撤去を行う作業員が、電線類に近づくことなく容易に巣を撤去できる営巣補助具が望まれる。
【０００９】
本発明は、このような問題点を解決し、営巣撤去を行う作業員が、電線類に近づくことなく容易に巣を撤去できる電柱用鳥類営巣補助具を提供することを目的とする。
【課題を解決するための手段】
【００１０】
前記目的を達成するため、本発明は、次に記載する構成を備えている。
【００１１】
（１）  電柱に固定される固定部と、鳥類が営巣可能なカゴ部と、前記固定部に対して前記カゴ部を回動可能に支持する回動支持部と、前記固定部に対する前記カゴ部の回動を規制するロック状態及び前記固定部に対して前記カゴ部を回動可能にするロック解除状態に切替自在なロック部とを備え、前記カゴ部は、前記固定部が電柱に固定されかつ前記ロック部がロック状態の場合に、前記電柱に対して垂直な水平方向に維持され、前記ロック部をロック状態からロック解除状態に切り替えた場合に下方に回動することを特徴とする電柱用鳥類営巣補助具。
【００１２】
（１）によれば、電柱に営巣補助具を取り付け、そこに営巣させることによって、停電等の危険性を緩和させることができる。また、ロック部材を解除してカゴ部を下方に回動させることにより、カゴ部内の巣を下方に移動させることが可能になる。これにより、作業員は、巣の撤去作業において、巣をカゴ部から持ち上げる作業を行うことがなくなり、電線から離れた位置で鳥類の巣を撤去することが可能になる。
【００１３】
（２）  （１）において、前記固定部は、前記電柱に対して垂直な水平方向に、互いに平行でかつ所定の間隔を開けて延在する一対の延在部を備え、前記カゴ部は、四角柱状の長尺部材ならなり、前記回動支持部を介して前記一対の延在部に一端部が支持される一対の腕金と、当該一対の腕金の下面に取り付けられる底面金網とを備え、前記ロック部は、前記一対の延在部に、前記電柱の立設方向及び前記延在部の延在方向に対して垂直方向に設けられ、両端部が前記一対の延在部の外側に突出する第１ボルトと、前記一対の腕金に、前記第１ボルトに対して平行に設けられ、両端部が前記一対の腕金の外側に突出する第２ボルトと、前記第１ボルト及び第２ボルトのいずれか一方に回動可能に支持される軸受部、及び回動によって他方のボルトに着脱自在に係合する鉤部を有する開閉金具と、前記第１ボルトに螺合する第１ナットと、前記第２ボルトに螺合する第２ナットと、を備え、前記開閉金具は、前記鉤部が前記第２ボルトに係合された前記ロック状態において、前記固定部及び前記カゴ部に前記第１ナット及び第２ナットによって締結されることを特徴とする電柱用鳥類営巣補助具。
【００１４】
（２）によれば、開閉金具を回動させて鉤部を第２ボルトに係合させることにより、固定部に対するカゴ部の回動が規制されてロック状態とすることが可能になる。更に、第１ナット及び第２ナットを締めることによって開閉金具が固定部及びカゴ部に固定され、固定部とカゴ部とのロック状態を維持することが可能になる。これにより、電柱において、カゴ部を営巣可能な水平状態に維持することができる。更に、カゴ部の底面が金網によって形成されるため、鳥類が営巣のために集めた材料が底面に引っかかるようになり、鳥類に対して営巣し易いカゴ部とすることが可能になる。これにより、鳥類は金網上に営巣するようになる。しかも、底面金網を備えたことにより、鳥類が営巣のために集めた材料が、落下することを防止することができる。
【００１５】
（３）  （１）、（２）において、前記固定部は、電柱に巻き付けられるバンドと、当該バンドの一端部に回動可能に設けられたボルトと、当該ボルトに螺合されるナットとを備え、前記バンドは、他端部に、前記ボルトに着脱自在に係合するバンド係合部を備え、前記ボルトに前記バンド係合部を係合させた状態で前記ナットを回転させ、前記ナットの移動に伴って前記バンドの両端部の距離を可変にすることを特徴とする電柱用鳥類営巣補助具。
【００１６】
（３）によれば、電柱への営巣補助具の取り付け、取り外しが容易になり、しかも、ボルトがバンドに取り付けられているため、営巣補助具の取り付け、取り外し時に、ボルトが落下してしまうことが防止できる。
【発明の効果】
【００１７】
本発明によれば、営巣撤去を行う作業員が、電線類に近づくことなく容易に巣を撤去できる電柱用鳥類営巣補助具を提供することが可能になる。
【図面の簡単な説明】
【００１８】
【図１】本発明の一実施形態における電柱用鳥類営巣補助具１の外観を示す斜視図である。
【図２】図１の側面図である。
【図３】図１の平面図である。
【図４】ロック部４０の構成部材を示す斜視図である。
【図５】本発明の一実施形態における電柱用鳥類営巣補助具１を電柱に設置した外観を示す図である。
【図６】本発明の一実施形態における電柱用鳥類営巣補助具１を電柱に設置した外観を示す図である。
【発明を実施するための形態】
【００１９】
以下、本発明の実施形態について、図面を参照しながら詳細に説明する。
図１は、本発明の一実施形態における電柱用鳥類営巣補助具１の外観を示す斜視図である。図２は、図１の側面図である。図３は、図１の平面図である。図１において、電柱用鳥類営巣補助具１は、固定部１０と、回動支持部に相当するヒンジ２５（図２参照）と、カゴ部３０と、ロック部４０とを備えている。固定部１０及びカゴ部３０は、長期間電柱１００に装着されていても腐食しにくく、更に風雨に耐えうる剛性を有する耐久性の高い材料、例えば、ステンレス鋼によって構成されることが望ましい。
【００２０】
固定部１０は、図１に示すように、基材１２と、一対の延在部に相当する一対の延在片１４ａ、１４ｂと、固定片１６と、バンド１８と、締結用ボルト２０（図２、図３参照）、ナット２２（図２、図３参照）と備えている。
【００２１】
図１に示すように、基材１２は、四角柱状の部材であり、両端部に一対の延在片１４ａ、１４ｂが固定されている。また、基材１２における一対の延在片１４ａ、１４ｂが固定された面に対して反対側の面の中央部に、固定片１６が固定されている。
【００２２】
延在片１４ａ、１４ｂは、四角柱状の部材であり、基材１２の長手方向に対して垂直方向に延在する。すなわち、基材１２と延在片１４ａ、１４ｂとによってコ字状の部材が形成される。
【００２３】
固定片１６は、電柱１００に当接する部材であり、図３に示すように、電柱１００の外周面に当接する円弧状の凹部１６ａを備えている。また、固定片１６は、図２に示すように、バンド１８を通す孔部１６ｂを備えている。この孔部１６ｂは、基材１２の長手方向に平行に形成された貫通孔である。
【００２４】
バンド１８は、電柱１００に巻き付ける部材であり、図３に示すように、バンド１８の一端部に締結用ボルト２０の一端部が回動可能に支持されている。また、バンド１８の他端部には、図２に示すように、締結用ボルト２０が着脱自在な凹部１８ａが形成されている。
【００２５】
締結用ボルト２０は、図２に示すように、凹部１８ａの幅よりも若干小さい径のものが適用可能であり、図３に示すように、バンド１８の巻き付け方向に沿って回動する。
【００２６】
ナット２２は、図２に示すように、締結用ボルト２０に螺合する部材であり、凹部１８ａの幅よりも大きい径のものが適用可能である。そして、締結用ボルト２０を回動させて、締結用ボルト２０と凹部１８ａを係合させ、ここ状態でナット２２を回転させることにより、ナット２２の移動に伴ってバンド１８の両端部の距離が可変する。
【００２７】
固定部１０を電柱１００に固定する際には、図３に示すように、作業員が、固定片１６の凹部１６ａを電柱１００に当接させた状態で、バンド１８を電柱１００に巻き付け、締結用ボルト２０を回動させて凹部１８ａに係合させる。そして、作業員が、ナット２２を回転させて、ナット２２をバンド１８の他端部とともにバンド１８の一端部側に移動させることによって、バンド１８を電柱１００に締め付ける。これにより、電柱１００に固定部１０が固定される。
【００２８】
また、図１において、カゴ部３０は、一対の腕金３２ａ、３２ｂと、カゴ３４とを備えている。一対の腕金３２ａ、３２ｂは、四角柱状の長尺部材ならなり、カゴ３４内に配置される。
【００２９】
カゴ３４は、底面金網に相当する底面部３４ａと、側面部３４ｂ、３４ｂと、正面部３４ｃとを形成する金網によって構成されている。また、カゴ３４は、底面部３４ａが一対の腕金３２ａ、３２ｂの下面に当接し、２つの側面部３４ｂ、３４ｂが一対の腕金３２ａ、３２ｂの外側の側面に当接し、正面部が一対の腕金３２ａ、３２ｂの他端面に当接するように、一対の腕金３２ａ、３２ｂに固定される。このとき、一対の腕金３２ａ、３２ｂの一端部は、カゴ３４の背面側から外部に延びている。また、側面部３４ｂ、３４ｂは、一対の腕金３２ａ、３２ｂの側面より上方に延びており、正面部３４ｃは、一対の腕金３２ａ、３２ｂの他端面より上方に延びている。
【００３０】
固定部１０にカゴ部３０を取り付ける際には、一対の腕金３２ａ、３２ｂの一端部の端面と延在片１４ａ、１４ｂの端面とを当接させた状態で、一対の腕金３２ａ、３２ｂの下面と延在片１４ａ、１４ｂの下面とに、図２に示すヒンジ２５を配置して、一対の腕金３２ａ、３２ｂと延在片１４ａ、１４ｂとをヒンジ２５によって連結する。これにより、固定部１０にカゴ部３０が回動可能に支持される。
【００３１】
図４は、ロック部４０の構成部材を示す斜視図である。ロック部４０は、第１ボルト４２と、第２ボルト４４と、開閉金具４６と、第１ナット４８と、第２ナット５０とを備えている。
【００３２】
第１ボルト４２は、図１に示すように、一対の延在片１４ａ、１４ｂの先端部に固定される。また、第１ボルト４２は基材１２の長手方向に対して平行であり、第１ボルト４２の両端部は一対の延在片１４ａ、１４ｂの側面から外側に延出している。
【００３３】
第２ボルト４４は、図１に示すように、一対の腕金３２ａ、３２ｂの一端部に固定される。また、第２ボルト４４は基材１２の長手方向に対して平行であり、第２ボルト４４の両端部は一対の腕金３２ａ、３２ｂの一端部の側面から外側に延出している。
【００３４】
開閉金具４６は、図１に示すように、延在片１４ａ、１４ｂと一対の腕金３２ａ、３２ｂとが当接している状態において、第１ボルト４２と第２ボルト４４との間隔よりも長い金属板によって形成されている。
【００３５】
また、図４に示すように、孔部４６ａが開閉金具４６の一端部に形成されており、鉤部４６ｂが他端部に形成されている。孔部４６ａから鉤部４６ｂまでの長さは、第１ボルト４２と第２ボルト４４との間隔に等しくなるように形成されている。また、鉤部４６ｂは、開閉金具４６の他端部を、孔部４６ａと鉤部４６ｂとを結ぶ線に対して略垂直方向に切り欠いたものである。
【００３６】
第１ナット４８、４８は、第１ボルト４２の両端部にそれぞれ螺合し、第２ナット５０、５０は、第２ボルト４４にそれぞれ螺合する。
【００３７】
本実施形態においては、開閉金具４６が２枚用意されており、図１に示すように、延在片１４ａ、１４ｂと一対の腕金３２ａ、３２ｂとが当接している状態において、開閉金具４６の孔部４６ａは、第１ボルト４２の両端部に孔部４６ａを外側から遊嵌され、開閉金具４６の鉤部４６ｂは、第２ボルト４４の両端部に外側から遊嵌される。
【００３８】
この時、鉤部４６ｂの切欠が下方を向くように、第１ボルト４２及び第２ボルト４４の両端部に開閉金具４６、４６が取り付けられる。そして、第１ボルト４２の両端部に第１ナット４８、４８が螺合され、第２ボルト４４の両端部に第２ナット５０、５０が螺合される。
【００３９】
更に、第１ナット４８、４８及び第２ナット５０、５０を回転させて、第１ナット４８、４８と延在片１４ａ、１４ｂとの間、及び第２ナット５０、５０と一対の腕金３２ａ、３２ｂとの間に開閉金具４６が締め付けられることにより、延在片１４ａ、１４ｂと一対の腕金３２ａ、３２ｂとが当接した状態、すなわち延在片１４ａ、１４ｂと一対の腕金３２ａ、３２ｂが一本のシャフト状になった状態が維持される。この状態においては、開閉金具４６の鉤部４６ｂが第２ボルト４４に係合しているため、一対の腕金３２ａ、３２ｂの回動、言い換えれば、固定部１０に対するカゴ部３０の回動が規制される。以下、ロック部４０において、開閉金具４６の鉤部４６ｂが第２ボルト４４に係合している状態をロック状態と称する。
【００４０】
また、第１ナット４８、４８及び第２ナット５０、５０を緩めて、開閉金具４６を回動可能な状態とし、図２に示すように、開閉金具４６を上方に回動させて、鉤部４６ｂと第２ボルト４４との係合状態を解除することにより、一対の腕金３２ａ、３２ｂは延在片１４ａ、１４ｂに対して回動可能になる。言い換えれば、固定部１０に対してカゴ部３０が回動可能になる。以下、ロック部４０において、開閉金具４６の鉤部４６ｂと第２ボルト４４との係合状態が解除された状態をロック解除状態と称する。
【００４１】
電柱用鳥類営巣補助具１は、図１、図２に示すように、固定部１０によって電柱１００に固定される。電柱用鳥類営巣補助具１を電柱１００に固定する際には、ロック部４０をロック状態とし、更に、第１ナット４８、４８及び第２ナット５０、５０を締め付けた状態とし、更に、ヒンジ２５、２５が下方（地面側）を向くように、電柱１００に設置される。これにより、カゴ部３０が、電柱１００の立設方向に対して垂直な水平方向に延びた状態に維持され、鳥類によるカゴ部３０内への営巣が可能になる。
【００４２】
電柱１００における電柱用鳥類営巣補助具１の取付位置は、図５に示すように、電柱１００の上部に設置されている電線を支持する腕金の下方近傍に固定するのが望ましい。また、鳥類によって営巣されたことがある電柱においては、営巣場所の直下近傍に固定する。これにより、鳥類が電柱用鳥類営巣補助具１に営巣する可能性を高くすることができる。
【００４３】
次に、電柱用鳥類営巣補助具１に営巣された鳥類の巣の撤去作業について説明する。まず、作業員は、作業位置まで昇柱した後、第１ナット４８、４８及び第２ナット５０、５０を緩めて、開閉金具４６を上方に回動させて、ロック解除状態にする。ロック解除状態になると、カゴ部３０は自重によって下方に回動する。そして、作業員は、カゴ部３０から巣を撤去する作業を行う。
【００４４】
作業員は、カゴ部３０から巣を撤去した後、カゴ部３０を上方に回動させて、延在片１４ａ、１４ｂに一対の腕金３２ａ、３２ｂを当接させ、開閉金具４６を回動させてロック状態にする。更に、第１ナット４８、４８及び第２ナット５０、５０を締めることにより、撤去作業が終了する。
【００４５】
以上説明したように構成された本実施形態によれば、電柱１００に電柱用鳥類営巣補助具１を取り付け、電柱用鳥類営巣補助具１のカゴ部３０に営巣させることによって、停電等の危険性を緩和させることができる。また、ロック部４０のロック状態を解除してカゴ部３０を下方に回動させることにより、カゴ部３０内の巣を下方に移動させることが可能になる。このため、作業員は、巣の撤去作業において、巣をカゴ部３０から持ち上げる作業を行うことがなくなり、電線から離れた位置で鳥類の巣を撤去することが可能になる。これにより、巣の撤去作業の安全性を向上させることが可能になる。
【００４６】
また本実施形態によれば、開閉金具４６を回動させて、鉤部４６ｂを第２ボルト４４に係合させることにより、ロック状態とすることが可能になり、更に、第１ナット４８及び第２ナット５０を締めることによって開閉金具４６が固定部１０及びカゴ部３０に固定され、固定部１０とカゴ部３０とのロック状態を維持することが可能になる。これにより、カゴ部３０を営巣可能な状態で維持することができる。更に、カゴ部３０の底面が金網によって形成されるため、鳥類が営巣のために集めた材料が底面に引っかかるようになり、鳥類に対して営巣し易いカゴ部３０とすることが可能になる。これにより、鳥類は金網上に営巣するようになる。しかも、金網を備えたことにより、鳥類が営巣のために集めた材料が、落下することを防止することができる。
【００４７】
また本実施形態によれば、カゴ部３０は、一対の腕金３２ａ、３２ｂの外側の側面に取り付けられ、一対の腕金３２ａ、３２ｂの腕金の上方に延びる側面金網及び正面金網を更に備えている。これにより、一対の腕金３２ａ、３２ｂの側面側及び正面側に鳥類が営巣のために集めた材料が引っかかるため、鳥類に対して営巣し易いカゴ部３０とすることが可能になる。
【００４８】
また本実施形態によれば、固定部１０は、電柱１００に巻き付けるバンド１８と、バンド１８の一端部に回動可能に設けられた締結用ボルト２０と、締結用ボルト２０に螺合するナット２２とを備え、バンド１８は、他端部に、締結用ボルト２０に着脱自在に係合する凹部１８ａを備え、締結用ボルト２０に凹部１８ａを係合させた状態でナット２２を回転させ、ナット２２の移動に伴ってバンド１８の両端部の距離を可変にしている。これにより、電柱１００への電柱用鳥類営巣補助具１の固定、取り外しが容易になり、しかも、締結用ボルト２０がバンド１８に取り付けられているため、電柱用鳥類営巣補助具１の固定、取り外し時に、締結用ボルト２０が落下してしまうことが防止できる。
【００４９】
以上、本発明の実施形態について説明したが、本発明は、上述した実施形態に限るものではない。例えば、上述した実施形態においては、カゴ３４を一対の腕金３２ａ、３２ｂに固定しているが、それに限らず、カゴ３４を一対の腕金３２ａ、３２ｂに対して着脱自在に構成してもよい。これにより、カゴ３４を取り替えることによって巣を撤去することが可能になり、しかも、営巣されたカゴ３４から巣を取り除く作業を柱上で行う必要がなくなる。
【００５０】
また、上述した実施形態においては、開閉金具４６を第１ボルト４２に回動可能に取り付け、第２ボルト４４に係合させているが、それに限らず、開閉金具４６を第２ボルト４４に回動可能に取り付け、第１ボルト４２に係合させてもよい。
【００５１】
また、上述した実施形態においては、図５に示すように変圧器がない電柱に電柱用鳥類営巣補助具１を固定した場合を例に説明したが、図６に示すように変圧器１０２を装柱した電柱１００の場合には、変圧器１０２の直下に固定してもよい。これにより、作業員が変圧器１０２に近づくことなく巣の撤去作業を行うことが可能になる。
【符号の説明】
【００５２】
１  電柱用鳥類営巣補助具
１０  固定部
１２  基材
１４ａ、１４ｂ  延在片
１６  固定片
１６ａ  凹部
１６ｂ  孔部
１８  バンド
１８ａ  凹部
２０  締結用ボルト
２２  ナット
２５  ヒンジ
３０  カゴ部
３２ａ、３２ｂ  腕金
３４  カゴ
３４ａ  底面部
３４ｂ  側面部
３４ｃ  正面部
４０  ロック部
４２  第２ボルト
４４  第２ボルト
４６  開閉金具
４６ａ  孔部
４６ｂ  鉤部
４８  第１ナット
５０  第２ナット
１００  電柱
【図１】
2013116058.tif 000003
【図２】
2013116058.tif 000004
【図３】
2013116058.tif 000005
【図４】
2013116058.tif 000006
【図５】
2013116058.tif 000007
【図６】
2013116058.tif 000008